(57)【要約】【課題】押下げポンプ式注出器を備えた容器に装着され、ノズルの向きが安定した状態でノズルヘッドを押下げ可能とした押下げポンプ用ホルダーを提供する。【解決手段】内容物が収容された容器本体１１と、容器本体１１の口部１２に保持される装着キャップ２１、及び装着キャップ２１を貫通するステム２３の上部に保持されるノズルヘッド２２の本体部２４から前方に延びるノズル２５を有するポンプ式注出器２０と、を備えた吐出容器１０に装着して用いる押下げポンプ用ホルダー１であって、装着キャップ２１の外周側に保持されるベース部２と、ベース部２の上方でノズル２５を左右両側から挟む位置に延在し、ノズルヘッド２２を押下げる際のノズル２５の向きを所定の範囲内に規制する枠体４と、を備える。【選択図】図１
2019064612.tif 000002
【特許請求の範囲】
【請求項１】
内容物が収容された容器本体と、
該容器本体の口部に保持される装着キャップ、及び該装着キャップを貫通するステムの上部に保持されるノズルヘッドの本体部から前方に延びるノズルを有するポンプ式注出器と、を備えた吐出容器に装着して用いる押下げポンプ用ホルダーであって、
前記装着キャップの外周側に保持されるベース部と、
該ベース部の上方で前記ノズルを左右両側から挟む位置に延在し、前記ノズルヘッドを押下げる際の前記ノズルの向きを所定の範囲内に規制する枠体と、を備える、押下げポンプ用ホルダー。
【請求項２】
前記ベース部は、前記装着キャップの外周側に配置される側壁部と、該側壁部の外周面から突出し、前記ノズルヘッドを押下げる際に指掛け部として機能するフランジ部と、を有する、請求項１に記載の押下げポンプ用ホルダー。
【請求項３】
前記フランジ部は、前記枠体の両側にそれぞれ設けられている、請求項２に記載の押下げポンプ用ホルダー。
【請求項４】
前記ベース部は、前記装着キャップに対して着脱自在に構成されている、請求項１〜３の何れか一項に記載の押下げポンプ用ホルダー。
【請求項５】
前記枠体は、前記ベース部に対してヒンジ部を介して連結されており、
前記ベース部の上方に延在して前記ノズルの向きを規制する起立状態と、前記ヒンジ部で折り曲げられ前記ベース部に隣接配置される収納状態との間で揺動可能に構成されている、請求項１〜４の何れか一項に記載の押下げポンプ用ホルダー。
【請求項６】
前記ベース部は、前記装着キャップに対して着脱自在に構成されており、且つ、
前記ベース部は、該ベース部の上方で前記枠体が前記ノズルの向きを所定の範囲内に規制する使用状態と、該使用状態から上下反転させた反転状態と、の両方で前記装着キャップに装着可能に構成されている、請求項１に記載の押下げポンプ用ホルダー。
【請求項７】
前記枠部は、前記反転状態において前記容器本体の外面に沿う形状となっている、請求項６に記載の押下げポンプ用ホルダー。
【発明の詳細な説明】
【技術分野】
【０００１】
本発明は、容器本体に収容した内容物を、ノズルヘッドの押下げにより外部に吐出させる押下げポンプ式の容器に装着して用いる押下げポンプ用ホルダーに関する。
【背景技術】
【０００２】
従来、洗剤、シャンプー、ボディソープ、ハンドソープ、及び洗顔料等の内容物を収容する容器として、ノズルヘッドの押下げによりノズルの先端開口から内容物を吐出させる押下げポンプ式の注出器を備えたものが知られている。
【０００３】
この種の押下げポンプ式注出器を備える容器では、一方の手でノズルヘッドを押し下げるとともに他方の手で内容液を受け取るような、両手で操作を行う場合が多いものの、使用状況によっては片手で操作する場合もあるため、この場合でも簡単に吐出できるものが望まれている。
【０００４】
例えば、特許文献１には、手動式押下げポンプを容器本体の口筒部に固定する組み付けキャップに、ポンプの押し下げ操作において指掛けの機能を発揮する補助部材を装着できるようにしたポンプ式注出器が示されている。この補助部材には外鍔状となる係止板片が設けられているため、片方の手の親指でノズルヘッドを押し下げるに当たって、人差し指等を係止板片の下面に当て付けることができる。これによって、片手での内容物の吐出操作を可能としている。
【先行技術文献】
【特許文献】
【０００５】
【特許文献１】特開２０１０−１５５６２３号公報
【発明の概要】
【発明が解決しようとする課題】
【０００６】
ところで、上記のような容器において、ノズルヘッドの回転は規制されていないため、片手でノズルヘッドを押下げる際に、ノズルの向きが左右にずれて、内容物が意図しない方向に吐出されてしまう虞がある。
【０００７】
本発明は、このような問題点を解決することを課題とするものであり、その目的は、押下げポンプ式注出器を備えた容器に装着され、ノズルの向きが安定した状態でノズルヘッドを押下げ可能とした押下げポンプ用ホルダーを提供することにある。
【課題を解決するための手段】
【０００８】
本発明は、上記課題を解決するためになされたものであり、本発明の押下げポンプ用ホルダーは、内容物が収容された容器本体と、
該容器本体の口部に保持される装着キャップ、及び該装着キャップを貫通するステムの上部に保持されるノズルヘッドの本体部から前方に延びるノズルを有するポンプ式注出器と、を備えた吐出容器に装着して用いる押下げポンプ用ホルダーであって、
前記装着キャップの外周側に保持されるベース部と、
該ベース部の上方で前記ノズルを左右両側から挟む位置に延在し、前記ノズルヘッドを押下げる際の前記ノズルの向きを所定の範囲内に規制する枠体と、を備えることを特徴とする。
【０００９】
なお、本発明の押下げポンプ用ホルダーにあっては、前記ベース部は、前記装着キャップの外周側に配置される側壁部と、該側壁部の外周面から突出し、前記ノズルヘッドを押下げる際に指掛け部として機能するフランジ部と、を有することが好ましい。
【００１０】
また、本発明の押下げポンプ用ホルダーにあっては、前記フランジ部は、前記枠体の両側にそれぞれ設けられていることが好ましい。
【００１１】
また、本発明の押下げポンプ用ホルダーにあっては、前記ベース部は、前記装着キャップに対して着脱自在に構成されていることが好ましい。
【００１２】
また、本発明の押下げポンプ用ホルダーにあっては、前記枠体は、前記ベース部に対してヒンジ部を介して連結されており、
前記ベース部の上方に延在して前記ノズルの向きを規制する起立状態と、前記ヒンジ部で折り曲げられ前記ベース部に隣接配置される収納状態との間で揺動可能に構成されていることが好ましい。
【００１３】
また、本発明の押下げポンプ用ホルダーにあっては、前記ベース部は、前記装着キャップに対して着脱自在に構成されており、且つ、
前記ベース部は、該ベース部の上方で前記枠体が前記ノズルの向きを所定の範囲内に規制する使用状態と、該使用状態から上下反転させた反転状態と、の両方で前記装着キャップに装着可能に構成されていることが好ましい。
【００１４】
また、本発明の押下げポンプ用ホルダーにあっては、前記枠部は、前記反転状態において前記容器本体の外面に沿う形状となっていることが好ましい。
【発明の効果】
【００１５】
本発明によれば、押下げポンプ式注出器を備えた容器に装着され、ノズルの向きが安定した状態でノズルヘッドを押下げ可能とした押下げポンプ用ホルダーを提供することができる。
【図面の簡単な説明】
【００１６】
【図１】本発明の一実施形態としての押下げポンプ用ホルダーを、吐出容器に装着した状態を一部断面で示した正面図である。
【図２Ａ】図１における押下げポンプ用ホルダーの成形直後の状態を示す平面図である。
【図２Ｂ】図２Ａの押下げポンプ用ホルダーの側面図である。
【図３】図１の吐出容器及び押下げポンプ用ホルダーの側面図である。
【図４】図１の吐出容器及び押下げポンプ用ホルダーの平面図である。
【図５】図１の吐出容器及び押下げポンプ用ホルダーの収納状態を示す側面図である。
【図６】本発明の他の実施形態としての押下げポンプ用ホルダーを、吐出容器に装着した状態で示した正面図である。
【図７】図６の吐出容器及び押下げポンプ用ホルダーの側面図である。
【図８】図６の吐出容器及び押下げポンプ用ホルダーの着脱操作を説明するための平面図である。
【図９】図６の押下げポンプ用ホルダーを反転状態で吐出容器に装着した状態を示す正面図である。
【図１０】図９の吐出容器及び押下げポンプ用ホルダーの側面図である。
【発明を実施するための形態】
【００１７】
以下、図面を参照して、本発明の一実施形態を詳細に説明する。なお、本願明細書、特許請求の範囲、及び要約書において「上」方向、「下」方向とは、容器の正立状態を基準とし、容器の軸線に沿って口部１２が配置される側（すなわち、図１における上側）を上方、図示しない底部が配置される側（すなわち、図１における下側）を下方とする。
【００１８】
また、「前」方向とは、ノズル２５が指向する向き（ノズルの根元に対して先端開口が位置する向き）であり（図３の左側）、「後」方向とは、その反対方向（図３の右側）である。また、「左」、「右」方向とはノズルの先端開口に向かって（前から後に向かって）ポンプ式注出器を見る際の左右方向を示す。
【００１９】
図１、３、４に示すように、本実施形態の押下げポンプ用ホルダー１（以下、単に「ホルダー」ともいう）は、吐出容器１０に装着して用いる。
【００２０】
吐出容器１０は、内容物を収容する容器本体１１と、容器本体１１の口部１２に装着される押下げポンプ式注出器２０（以下、単に「注出器」ともいう）と、を備える。容器本体１１は、円筒状の口部１２と、口部１２の下方に連なる胴部１３と、胴部１３の下端部を閉塞する底部とを備える。容器本体１１の内部が、内容物の収容空間となっている。容器本体１１の形状は特に限定されない。
【００２１】
注出器２０は、口部１２に保持される装着キャップ２１と、装着キャップ２１によって容器本体１１の口部１２の内側に吊下げ保持されるポンプ（図示省略）と、装着キャップ２１の上方に保持されるノズルヘッド２２とを備える。
【００２２】
装着キャップ２１は、円筒状の周壁２１ａを有し、周壁２１ａの内側に設けたねじ部を容器本体１１の口部１２に設けたねじ部にねじ込むことで着脱自在に保持される。なお、装着キャップ２１を容器本体１１の口部１２に保持するには、アンダーカット等、他の係合手段を用いてもよい。
【００２３】
ポンプは、装着キャップ２１の中心を貫通して上方に突出し、上方付勢されるステム２３の押し下げ及び復帰動作によって、容器本体１１の収容空間内に延在する管状の吸上げパイプ等を介して内容物を吸い上げ、必要に応じて内部で空気と混合し、ノズルヘッド２２の吐出口２５ａに向けて圧送するものである。
【００２４】
ノズルヘッド２２は、円筒状のステム２３の上部に固定されるヘッド本体２４（本体部）と、ヘッド本体２４から前方に向けて延びるノズル２５と、を備える。ノズル２５の先端には、内容物の吐出口２５ａが形成されている。ノズルヘッド２２の内部には、ステム２３の内部から吐出口２５ａまで連通する内容物の流路が形成されている。また、ノズルヘッド２２は、ステム２３とともに容器本体１１に対してステム２３の軸線のまわりで回動可能に構成されている。
【００２５】
このような構成の吐出容器１０によれば、ステム２３の軸線に沿う軸方向にノズルヘッド２２を繰返し押下げることにより、ポンプが機能して、吐出口２５ａから内容物を吐出することができる。
【００２６】
図１に示すように、本実施形態のホルダー１は、装着キャップ２１の外周側に保持されるベース部２と、ベース部２の上方でノズル２５の左右方向の向き（ステム２３の軸線を中心とする周方向の向き）を所定の範囲内に規制する枠体４とを備える。
【００２７】
本例のベース部２は、装着キャップ２１に対して着脱自在に構成されている。これにより、例えば内容物を使い切った後に、ホルダー１を吐出容器１０から取り外して容器本体１１に内容物を補充したり、新たな容器本体１１に交換したり、異なる吐出容器１０にホルダー１を付け替えたりすることができる。なお、本例のベース部２は、装着キャップ２１に対して取り外しできないように固定保持されてもよい。
【００２８】
ベース部２は、平面視で円弧状（Ｃ字状）の側壁部２ａを備える。側壁部２ａは、装着キャップ２１の周壁２１ａの外周側に嵌合保持される。本例の側壁部２ａは、周壁２１ａの周方向半部以上を取り囲んでいる。
【００２９】
側壁部２ａには、間欠部２ｂが形成されており、当該間欠部２ｂの幅が拡大する方向に弾性変形可能に構成されている。装着キャップ２１に対してベース部２を取り付ける際には、間欠部２ｂ側からベース部２を装着キャップ２１に押し込むことで、側壁部２ａが弾性変形して間欠部２ｂの幅が拡大し、側壁部２ａを装着キャップ２１の外周側に配置することができる。
【００３０】
側壁部２ａの外周面には、ノズルヘッド２２を押下げる際に指掛け機能を発揮するフランジ部２ｃが設けられている。本例のフランジ部２ｃは、側壁部２ａの上端部外周面から径方向外側に突出している。また、本例では、枠体４の両側にそれぞれフランジ部２ｃが設けられている。
【００３１】
側壁部２ａの下端部には、内周面から径方向内側に突出する内側突起２ｄが設けられている。内側突起２ｄは、装着キャップ２１の周壁２１ａの下面と、容器本体１１の胴部１３の上端部との間に配置され、吐出容器１０に対するベース部２の上下方向の移動を抑制する。
【００３２】
図２Ａ、２Ｂは、射出成形等により成形されたホルダー１を示している。枠体４は、側壁部２ａにヒンジ部３を介して連結されており、当該ヒンジ部３を支点として上下に揺動可能に構成されている。本例の枠体４は、略矩形状に形成され、中央にノズル貫通孔４ａが形成されている。枠体４は、図１に示す起立状態において上側となる上枠部４ｂと、下側となる下枠部４ｃと、上枠部４ｂと下枠部４ｃを連結する一対の側方枠部４ｄとを有する。上枠部４ｂと下枠部４ｃは、ノズルヘッド２２の押下げ及び復帰動作の際に、ノズル２５が軸方向に移動するのを阻害しない位置に配置される。上枠部４ｂと下枠部４ｃが左右の側方枠部４ｄを一体に連結することにより、側方枠部４ｄが補強されて変形し難くなる。
【００３３】
図１、３、４に示すように、吐出容器１０にホルダー１を装着し、ノズル貫通孔４ａにノズル２５を貫通させた起立状態において、枠体４の側方枠部４ｄがノズル２５を左右両側から挟む位置で、ノズルヘッド２２の押し下げ方向に略平行に延在している。この状態で、ノズル２５がステム２３の軸線のまわりで左右に回転しようとすると、ノズル２５の側面が側方枠部４ｄに当接するため、ノズル２５の回転が規制される。これにより、ノズルヘッド２２を押下げる際に、ノズル２５の向きを所定の範囲内に規制することができる。したがって、ノズル２５の向きが安定した状態でノズルヘッド２２をステム２３の軸方向に沿って真っ直ぐに押し下げることができ、内容物を所望の向きに吐出することができる。
【００３４】
また、ノズルヘッド２２を押下げる際に指掛け機能を発揮するフランジ部２ｃを設けたことにより、片手で吐出容器１０を持ち上げながら容易に内容物を吐出することができる。具体的には、例えば親指と中指でベース部２を両側から挟みつつ、当該２本の指をそれぞれフランジ部２ｃに下方から引っ掛ける。これにより、吐出容器１０の上部を把持して容易に持ち上げることができ、人差し指でノズルヘッド２２を上方から押下げることで、容易に内容物を吐出することができる（図３参照）。したがって、吐出容器１０を持ち上げて所望の向きに吐出口２５ａを向けることができ、容易に内容物を所望の位置に吐出することができる。
【００３５】
ここで、例えば洗濯用洗剤を収容する容器の場合、１回の使用に必要な内容物の量が比較的大きいため、ノズルヘッド２２を押し下げるストロークが長くなったり、１回の使用でノズルヘッド２２を押し下げる回数が多くなったり、ノズルヘッド２２を押し下げる際に必要な力が大きくなったりする傾向がある。このような洗濯用洗剤を内容物とする容器の場合には、ノズルヘッド２２を押下げる際にノズル２５の向きが左右にずれ易くなるため、本実施形態のホルダー１によってノズル２５の向きを規制することがより有効である。
【００３６】
なお、本例の枠体４は、下枠部４ｃの縁部に沿って設けられた係合突起４ｅを有する。また、ベース部２は、側壁部２ａの前方側に設けられた下向きの第１ストッパー部２ｅと、上向きの第２ストッパー部２ｆとを有する。第１ストッパー部２ｅは、側壁部２ａの上部の外周面に設けられた凸部２ｇの下面から下方に突出する突起で構成されている。また、第２ストッパー部２ｆは、側壁部２ａの上面からそれぞれ上方に突出する一対の突起部２ｈに形成された段差状の凹部で構成されている。
【００３７】
係合突起４ｅを第２ストッパー部２ｆに係合させることにより、図１、３に示す枠体４の起立状態を維持することができる。また、係合突起４ｅを第１ストッパー部２ｅに係合させることにより、図５に示すように、枠体４の収納状態を維持することができる。
【００３８】
ノズルヘッド２２のヘッド本体２４には、注出器２０における装着キャップ２１の上方に設けたねじ部２６（本例では雄ねじ）に係合するねじ部（本例では雌ねじ）が設けられている。なお、ヘッド本体２４に雄ねじを設け、装着キャップ２１側に雌ねじを設けてもよい。ノズルヘッド２２を押し下げて、ヘッド本体２４をねじ部２６に螺着することにより、ノズルヘッド２２を押し下げた状態（押し下げ状態）で保持することができる。吐出容器１０の流通、保管時においては、ノズルヘッド２２を押し下げ状態とすることで、使用状態よりも高さを低く抑え、コンパクト化することができるので、流通及び保管等の効率を向上させることができる。
【００３９】
上述のように、本例のホルダー１は、ヒンジ部３を支点に枠体４を折り曲げることができ、図５に示すように、枠体４をベース部２に隣接配置した収納状態とすることができる。これにより、ホルダー１の上端部が、吐出容器１０の上端部よりも下方に位置する。すなわち、収納状態においては、ホルダー１が吐出容器１０よりも上方に突出しない構成となるため、容器全体をコンパクト化することができ、吐出容器１０にホルダー１を装着した状態での流通及び保管等の効率を向上させることができる。
【００４０】
また、収納状態としたホルダー１は、吐出容器１０の径方向の最も外側の面（本例では、胴部１３の下側領域１３ｃの外周面）よりも径方向内側に位置する。すなわち、ホルダー１は吐出容器１０の径方向最外面よりも径方向外側に突出しないため、吐出容器１０にホルダー１を装着した状態での流通及び保管等の効率を向上させることができる。なお、本例において、容器本体１１は、口部１２の下方に位置する胴部１３の上側領域１３ａに、ホルダー１の長さと同じかそれよりも長い垂直面を有しており、該垂直面から拡径部１３ｂ（肩部）を介して下側領域１３ｃが形成されている。胴部１３の下側領域１３ｃよりも小径の上側領域１３ａに沿って、収納状態としたホルダー１の枠体４が配置されるため、ホルダー１が径方向外側に突出し難くなっている。
【００４１】
また、本例のホルダー１は、枠体４を折り曲げた収納状態とすることで、ホルダー１を吐出容器１０に装着した状態のままでノズル２５の回転規制機能を解除することができる。これにより、ホルダー１を吐出容器１０から取り外すことなく、図５に示すようにノズルヘッド２２のヘッド本体２４をねじ部２６に螺着したり、逆に螺脱したりすることができる。
【００４２】
さらに本例のホルダー１は、ヒンジ部３を支点に枠体４を揺動可能であるので、ホルダー１を容器本体１１に装着する際に、必ずしも枠体４の位置をノズル２５の位置に合わせる必要がない。つまり、ノズル２５の位置に関係なく、ホルダー１を容器本体１１に装着した後で、内容物を吐出しようとする際に、ノズル２５の位置に合わせて（ノズル２５がノズル貫通孔４ａを貫通するように）枠体４を起立状態にすればよいので、ホルダー１の取り付けが容易である。
【００４３】
図６〜１０は、本発明の他の実施形態を示している。なお、上述した実施形態と基本的な機能が同一である部分は、図中、同一の符号を付して説明を省略する。本例のホルダー３０は、枠体３４がベース部３２に対して揺動不能に一体に設けられている。
【００４４】
また、図８に示すように、ホルダー３０のベース部３２は、吐出容器１０の装着キャップ２１に対して前方から着脱可能に構成されている。また、ベース部３２は、図６、７に示す使用状態で装着キャップ２１に装着可能であるのみならず、使用状態から上下反転させた図９、１０に示す反転状態でも装着キャップ２１に装着可能としている。尚、反転状態ではノズル２５に対して前後左右どの方向からも装着することができる。
【００４５】
図６、７に示す使用状態でホルダー３０を吐出容器１０に装着した場合、ベース部３２の上方で枠体３４の側方枠部４ｄがノズル２５の向きを所定の範囲内に規制する。これにより、先の実施形態と同様に、ノズル２５の向きが安定した状態でノズルヘッド２２を真っ直ぐに押し下げることができ、内容物を所望の向きに吐出することができる。
【００４６】
また、ベース部３２には、ノズルヘッド２２を押下げる際に指掛け機能を発揮するフランジ部２ｃが設けられており、これより、片手で吐出容器１０を持ち上げながら容易に内容物を所望の位置に吐出することができる。
【００４７】
図９、１０に示すように、反転状態で吐出容器１０に装着されたホルダー３０の枠体３４は、容器本体１１の外面に沿って延在している。換言すると、枠体３４の形状は、反転状態において容器本体１１の外面に沿うように構成されている。これにより、容器全体をコンパクト化することができ、吐出容器１０にホルダー３０を装着した状態での流通及び保管等の効率を向上させることができる。
【００４８】
また、ホルダー３０が吐出容器１０の外側に大きく突出しないため、流通時等において、ホルダー３０が外部との接触等により吐出容器１０から脱落してしまう虞を低減することができる。
【００４９】
なお、本発明の技術的範囲は前記実施の形態に限定されるものではなく、本発明の趣旨を逸脱しない範囲において種々の変更を加えることが可能である。例えば、枠体４、３４は、上枠部４ｂを有していない構成でもよい。
【符号の説明】
【００５０】
１：押下げポンプ用ホルダー（ホルダー）
２：ベース部
２ａ：側壁部
２ｂ：間欠部
２ｃ：フランジ部
２ｄ：内側突起
２ｅ：第１ストッパー部
２ｆ：第２ストッパー部
２ｇ：凸部
２ｈ：突起部
３：ヒンジ部
４：枠体
４ａ：ノズル貫通孔
４ｂ：上枠部
４ｃ：下枠部
４ｄ：側方枠部
４ｅ：係合突起
１０：吐出容器
１１：容器本体
１２：口部
１３：胴部
１３ａ：上側領域
１３ｂ：拡径部
１３ｃ：下側領域
２０：押下げポンプ式注出器（注出器）
２１：装着キャップ
２１ａ：周壁
２２：ノズルヘッド
２３：ステム
２４：ヘッド本体（本体部）
２５：ノズル
２５ａ：吐出口
２６：ねじ部
３０：押下げポンプ用ホルダー（ホルダー）
３２：ベース部
３４：枠体
【図１】
2019064612.tif 000003
【図２Ａ】
2019064612.tif 000004
【図２Ｂ】
2019064612.tif 000005
【図３】
2019064612.tif 000006
【図４】
2019064612.tif 000007
【図５】
2019064612.tif 000008
【図６】
2019064612.tif 000009
【図７】
2019064612.tif 000010
【図８】
2019064612.tif 000011
【図９】
2019064612.tif 000012
【図１０】
2019064612.tif 000013